(57)【特許請求の範囲】
【請求項１】
波形に形成された板状のデッキプレート本体と、
前記デッキプレート本体を水平に配設した状態で、前記デッキプレート本体の谷部から谷部にわたって配設される帯板状で、吊りボルトを取り付けるためのボルト取付部が所定の間隔で複数設けられた吊りプレートと、
を備え、前記吊りプレートは、前記デッキプレート本体の谷部に沿って所定の間隔で複数設けられている、
ことを特徴とするデッキプレート。
【請求項２】
前記吊りプレートは、前記デッキプレート本体の谷部に設けられたプレート挿入孔に挿入されて配設されている、
ことを特徴とする請求項１に記載のデッキプレート。
【請求項３】
前記ボルト取付部は、前記吊りボルトが挿入されるボルト挿入孔で構成されている、
ことを特徴とする請求項１または２のいずれか１項に記載のデッキプレート。
【請求項４】
隣接するデッキプレート本体の前記吊りプレート同士を連結する連結具を備える、
ことを特徴とする請求項１から３のいずれか１項に記載のデッキプレート。
【請求項５】
前記連結具は、前記吊りプレートの一端側に配設されている、
ことを特徴とする請求項４に記載のデッキプレート。
【請求項６】
前記吊りプレートと略平行に延びて前記吊りプレート間に配設された、平板状の目隠しルーパーを備え、
前記デッキプレート本体が略水平に配置された状態で、前記目隠しルーパーの板面が略垂直に配置される、
ことを特徴とする請求項１から５のいずれか１項に記載のデッキプレート。
【請求項７】
前記デッキプレート本体は、等脚台形状の山部と谷部が連続的に形成され、
前記吊りプレートは、前記デッキプレート本体の谷部の底辺に沿って配設されている、
ことを特徴とする請求項１から６のいずれか１項に記載のデッキプレート。
【請求項８】
前記デッキプレート本体は、平坦な山部と、前記山部に対して略垂直に突出する谷部が連続的に形成され、
前記吊りプレートは、前記デッキプレート本体の谷部の底辺に沿って配設されている、
ことを特徴とする請求項１から６のいずれか１項に記載のデッキプレート。
【請求項９】
波形に形成された板状のデッキプレート本体と、
凹字状で、両端部が前記デッキプレート本体に取り付けられ、底辺部に吊りボルトを取り付けるためのボルト取付部が設けられた吊り具と、
を備え、前記吊り具は、前記デッキプレート本体の全面に所定の間隔で複数配設されている、
ことを特徴とするデッキプレート。
【請求項１０】
前記デッキプレート本体に設けられた吊り具挿入孔に前記吊り具の両端部が挿入されることで、前記吊り具が前記デッキプレート本体に取り付けられている、
ことを特徴とする請求項９に記載のデッキプレート。
【請求項１１】
前記ボルト取付部は、前記吊りボルトが挿入されるボルト挿入孔で構成されている、
ことを特徴とする請求項９または１０のいずれか１項に記載のデッキプレート。
【発明の詳細な説明】
【技術分野】
【０００１】
本発明は、波形に形成された鋼板で、床材や屋根材などとして使用されるデッキプレートに関する。
【背景技術】
【０００２】
例えば、デッキプレートに空調ダクトを吊るして配設する場合、予めデッキプレートにインサートナットを取り付けてコンクリートを打設した後に、インサートナットに吊りボルトを取り付け（例えば、特許文献１参照。）、この吊りボルトで空調ダクトを吊るして配設していた。この際、設計上の空調ダクトの配設位置に合わせて、必要な箇所のみにインサートナットをデッキプレートに取り付けていた。また、インサートナットは、空調ダクトのみではなく、配線や配管などを配設する場合にも使用され、空調ダクトと同様に、設計上の配設位置に合わせて、必要な箇所のみにインサートナットをデッキプレートに取り付けていた。
【先行技術文献】
【特許文献】
【０００３】
【特許文献１】特開２０１４−１６０１３号公報
【発明の概要】
【発明が解決しようとする課題】
【０００４】
しかしながら、実際の施工現場においては、施工図の精度の悪さや、仕様の変更、空調ダクトなどの配設位置の変更などによって、予め取り付けられたインサートナットを使用できないケースが多く発生していた。例えば、その使用率は、５０％にも満たない場合があった。このため、空調ダクトなどの配設に際して、正しい配設位置に合わせて、現場で各業者が後打ちアンカーをデッキプレートに打設しなければならず、多大な時間と労力、費用を要していた。
【０００５】
しかも、デッキプレートにはコンクリートが既に打設されているため、後打ちアンカーの打設には多大な労力を要し、作業者の大きな負担となっていた。さらには、上方に向けて後打ちアンカーを打設しなければならないため、ローリングタワーなどを使用して安全性を確保する必要があり、多大な手間と費用を要していた。加えて、後打ちアンカーの打設によってコンクリートからの粉塵が飛散し、作業環境が悪化する、という問題があった。
【０００６】
そこでこの発明は、任意の位置に空調ダクトなどを配設可能なデッキプレートを提供することを目的とする。
【課題を解決するための手段】
【０００７】
上記目的を達成するために請求項１に記載の発明は、波形に形成された板状のデッキプレート本体と、前記デッキプレート本体を水平に配設した状態で、前記デッキプレート本体の谷部から谷部にわたって配設される帯板状で、吊りボルトを取り付けるためのボルト取付部が所定の間隔で複数設けられた吊りプレートと、を備え、前記吊りプレートは、前記デッキプレート本体の谷部に沿って所定の間隔で複数設けられている、ことを特徴とするデッキプレートである。
【０００８】
請求項２に記載の発明は、請求項１に記載のデッキプレートにおいて、前記吊りプレートは、前記デッキプレート本体の谷部に設けられたプレート挿入孔に挿入されて配設されている、ことを特徴とする。
【０００９】
請求項３に記載の発明は、請求項１または２に記載のデッキプレートにおいて、前記ボルト取付部は、前記吊りボルトが挿入されるボルト挿入孔で構成されている、ことを特徴とする。
【００１０】
請求項４に記載の発明は、請求項１から３に記載のデッキプレートにおいて、隣接するデッキプレート本体の前記吊りプレート同士を連結する連結具を備える、ことを特徴とする。
【００１１】
請求項５に記載の発明は、請求項４に記載のデッキプレートにおいて、前記連結具は、前記吊りプレートの一端側に配設されている、ことを特徴とする。
【００１２】
請求項６に記載の発明は、請求項１から５に記載のデッキプレートにおいて、前記吊りプレートと略平行に延びて前記吊りプレート間に配設された、平板状の目隠しルーパーを備え、前記デッキプレート本体が略水平に配置された状態で、前記目隠しルーパーの板面が略垂直に配置される、ことを特徴とする。
【００１３】
請求項７に記載の発明は、請求項１から６に記載のデッキプレートにおいて、前記デッキプレート本体は、等脚台形状の山部と谷部が連続的に形成され、前記吊りプレートは、前記デッキプレート本体の谷部の底辺に沿って配設されている、ことを特徴とする。
【００１４】
請求項８に記載の発明は、請求項１から６に記載のデッキプレートにおいて、前記デッキプレート本体は、平坦な山部と、前記山部に対して略垂直に突出する谷部が連続的に形成され、前記吊りプレートは、前記デッキプレート本体の谷部の底辺に沿って配設されている、ことを特徴とする。
【００１５】
請求項９に記載の発明は、波形に形成された板状のデッキプレート本体と、凹字状で、両端部が前記デッキプレート本体に取り付けられ、底辺部に吊りボルトを取り付けるためのボルト取付部が設けられた吊り具と、を備え、前記吊り具は、前記デッキプレート本体の全面に所定の間隔で複数配設されている、ことを特徴とするデッキプレートである。
【００１６】
請求項１０に記載の発明は、請求項９に記載のデッキプレートにおいて、前記デッキプレート本体に設けられた吊り具挿入孔に前記吊り具の両端部が挿入されることで、前記吊り具が前記デッキプレート本体に取り付けられている、ことを特徴とする。
【００１７】
請求項１１に記載の発明は、請求項９または１０に記載のデッキプレートにおいて、前記ボルト取付部は、前記吊りボルトが挿入されるボルト挿入孔で構成されている、ことを特徴とする。
【発明の効果】
【００１８】
請求項１に記載の発明によれば、吊りプレートにボルト取付部が所定の間隔で複数設けられ、このような吊りプレートが所定の間隔で複数デッキプレート本体に設けられている。つまり、空調ダクトなどの配設位置に関わらず予め、縦横に所定の間隔で複数のボルト取付部がデッキプレート本体の全面・四方にわたって設けられている。このため、任意・所望のボルト取付部に吊りボルトを取り付けることで、任意・所望の位置に容易に空調ダクトなどを配設することが可能となる。この結果、現場で後打ちアンカーを打設する必要がなくなり、作業者の負担を軽減して時間と労力、費用を削減することができるばかりでなく、安全性が向上するとともに、作業環境を改善することが可能となる。しかも、従来のデッキプレートと同様なデッキプレート本体と、帯板状の吊りプレートとを備えるだけであるため、簡易に低コストで構成することが可能となる。
【００１９】
請求項２に記載の発明によれば、デッキプレート本体の谷部に設けられたプレート挿入孔に、吊りプレートが挿入されて配設されているだけであるため、より簡易に低コストで構成することが可能となる。従って、最終的に使用されない吊りプレートが生じたとしても、無駄な費用を抑制することが可能となる。
【００２０】
請求項３に記載の発明によれば、ボルト取付部がボルト挿入孔で構成されているだけであるため、より簡易に低コストで構成することが可能となる。従って、最終的に使用されないボルト取付部が生じたとしても、無駄な費用を抑制することが可能となる。
【００２１】
請求項４に記載の発明によれば、隣接するデッキプレート本体の吊りプレート同士が連結具で連結されるため、複数の吊りプレートが強固に安定して配設され、吊りボルトひいては空調ダクトなどを強固に安定して配設することが可能となる。また、複数の吊りプレートが隙間なく一直線上に配設されるため、外観・美感が向上し、この結果、天井板などの配設を省略することが可能となり、大幅なコスト削減が可能となる。
【００２２】
請求項５に記載の発明によれば、吊りプレートの一端側に連結具が配設されているため、隣接する吊りプレートと容易に連結することが可能となる。
【００２３】
請求項６に記載の発明によれば、デッキプレート本体が略水平に配置された状態で、吊りプレートと略平行に延びる目隠しルーパーの板面が略垂直に配置される。このため、吊りプレートが目隠しルーパーで見えにくくなり、外観・美感が向上し、この結果、天井板などの配設を省略することが可能となり、大幅なコスト削減が可能となる。
【００２４】
請求項７に記載の発明によれば、等脚台形状の山部と谷部が連続的に形成されてデッキプレート本体が構成されているため、剛性、強度が高く、厚いコンクリート打設に適する。そして、このようなデッキプレート本体の谷部の底辺に沿って吊りプレートが配設されているため、デッキプレート本体の山部と吊りプレートとの間に広い空間が確保され、この空間を利用して吊りボルトを容易、適正に取り付けたり、この空間に配線などを配設したりすることが可能となる。
【００２５】
請求項８に記載の発明によれば、平坦な山部と略垂直に突出する谷部が連続的に形成されてデッキプレート本体が構成されているため、デッキプレート本体の軽量化が可能となる。そして、このようなデッキプレート本体の谷部の底辺に沿って吊りプレートが配設されているため、デッキプレート本体の山部・平坦部と吊りプレートとの間に広い空間が確保され、この空間を利用して吊りボルトを容易、適正に取り付けたり、この空間に配線などを配設したりすることが可能となる。
【００２６】
請求項９に記載の発明によれば、ボルト取付部が設けられた吊り具が、デッキプレート本体の全面に所定の間隔で複数配設されている。つまり、空調ダクトなどの配設位置に関わらず予め、所定の間隔で複数のボルト取付部がデッキプレート本体の全面・四方にわたって設けられている。このため、任意・所望のボルト取付部に吊りボルトを取り付けることで、任意・所望の位置に容易に空調ダクトなどを配設することが可能となる。この結果、現場で後打ちアンカーを打設する必要がなくなり、作業者の負担を軽減して時間と労力、費用を削減することができるばかりでなく、安全性が向上するとともに、作業環境を改善することが可能となる。
【００２７】
しかも、従来のデッキプレートと同様なデッキプレート本体と、凹字状の吊り具とを備えるだけであるため、簡易に低コストで構成することが可能となる。さらに、凹字状の吊り具の内側に配線などを配設したりすることが可能で、利便性が高い。
【００２８】
請求項１０に記載の発明によれば、デッキプレート本体の吊り具挿入孔に吊り具の両端部が挿入されることで、吊り具がデッキプレート本体に取り付けられている。つまり、溶接やボルト締めなどを要しないため、より簡易に低コストで構成することが可能となる。従って、最終的に使用されない吊り具が生じたとしても、無駄な費用を抑制することが可能となる。
【００２９】
請求項１１に記載の発明によれば、ボルト取付部がボルト挿入孔で構成されているだけであるため、より簡易に低コストで構成することが可能となる。従って、最終的に使用されないボルト取付部が生じたとしても、無駄な費用を抑制することが可能となる。
【図面の簡単な説明】
【００３０】
【図１】この発明の実施の形態１に係るデッキプレートを示す正面図（ａ）と底面図（ｂ）である。
【図２】図１のデッキプレートのデッキプレート本体の側面図である。
【図３】図１のデッキプレートに吊りボルトを取り付けた状態を示す正面図である。
【図４】この発明の実施の形態２に係るデッキプレートを示す正面図（ａ）と底面図（ｂ）である。
【図５】図４のデッキプレートのデッキプレート本体の側面図である。
【図６】図４のデッキプレートに吊りボルトを取り付けた状態を示す正面図である。
【図７】この発明の実施の形態３に係るデッキプレートを示す正面図（ａ）と底面図（ｂ）である。
【図８】図７のデッキプレートのデッキプレート本体の底面図である。
【図９】図７のデッキプレートに吊りボルトを取り付けた状態を示す正面図である。
【図１０】この発明の実施の形態４に係るデッキプレートを示す正面図（ａ）と底面図（ｂ）である。
【図１１】図１０のデッキプレートを連結した状態を示す正面図である。
【図１２】この発明の実施の形態５に係るデッキプレートを示す底面図（ａ）とそのＡ−Ａ断面図（ｂ）である。
【図１３】この発明の実施の形態５におけるデッキプレート本体（ａ）と、第１の目隠しルーパー（ｂ）、第２の目隠しルーパー（ｃ）および第３の目隠しルーパー（ｄ）を示す概念図である。
【発明を実施するための形態】
【００３１】
以下、この発明を図示の実施の形態に基づいて説端明する。
【００３２】
（実施の形態１）
図１は、この実施の形態に係るデッキプレート１を示す正面図（ａ）と底面図（ｂ）である。このデッキプレート１は、波形に形成された鋼板で、コンクリートスラグの型枠、床材や屋根材などとして使用されるプレートであり、任意の位置に空調ダクトや配線、配管などを吊って配設可能な点で、従来のデッキプレートと異なる。このデッキプレート１は、デッキプレート本体２と吊りプレート３とを備える。
【００３３】
デッキプレート本体２は、波形に形成された板状のプレートで、この実施の形態では、略等脚台形の山部２１と谷部２２が連続的に形成されて波形になっている。すなわち、底辺よりも上辺が短い略等脚台形で底辺を有さない山部２１が所定間隔で形成され、山部２１と山部２１との間に、上辺よりも底辺が短い略等脚台形で上辺を有さない谷部２２が形成されることで、略等脚台形で同形状の山部２１と谷部２２が隣接して連続的に形成されている。
【００３４】
このようなデッキプレート本体２の板厚や山部２１と谷部２２の大きさ・高さは、デッキプレート本体２の上に打設されるコンクリートの厚み・重量などに応じて、所定の強度、剛性が得られるように設定されている。また、この実施の形態では、完全な２つの山部２１と１つの谷部２２を有する場合を例示しているが、打設されるコンクリートの厚みなどに応じて、より多くの山部２１と谷部２２を有してもよい。
【００３５】
また、デッキプレート本体２の各谷部２２には、図２に示すように、後述する吊りプレート３を挿入するためのプレート挿入孔２ａが形成されている。すなわち、谷部２２（山部２１）の両斜辺部２３であって谷部２２の底辺２２ａ（山部２１の裾野部）の直上に、吊りプレート３をガタなく挿入可能な横長で長方形状のプレート挿入孔２ａが形成されている。このプレート挿入孔２ａは、谷部２２の谷筋（谷が伸びる筋）に沿って後述する第２の所定の間隔ｄ２で複数形成され、かつ、谷部２２の谷筋に直交する方向において、各谷部２２のプレート挿入孔２ａが重なるように形成されている。
【００３６】
吊りプレート３は、鋼板で構成された帯板状で、デッキプレート本体２を水平に配設した状態で、デッキプレート本体２の谷部２２から谷部２２にわたって配設されている。すなわち、長尺の長方形状で、デッキプレート本体２の谷部２２の谷筋に直交する方向に向けて、各プレート挿入孔２ａに挿入されることで、デッキプレート本体２の谷部２２から谷部２２にわたって配設されている。このように、谷部２２の底辺２２ａ側に形成されたプレート挿入孔２ａに挿入されることで、吊りプレート３が谷部２２から谷部２２にわたり、かつ、底辺２２ａと底辺２２ａに沿って配設されている。
【００３７】
また、吊りプレート３には、図１に示すように、後述する吊りボルト１０１を取り付けるためのボルト取付部であって吊りボルト１０１が挿入されるボルト挿入孔３ａが、長手方向に沿って第１の所定の間隔ｄ１で複数形成されている。この吊りプレート３の長さは、デッキプレート本体２の幅方向（山部２１の稜線に直交する方向）の一端から他端にわたって延びるように設定されている。
【００３８】
このような吊りプレート３が、デッキプレート本体２の谷部２２の谷筋に沿って第２の所定の間隔ｄ２で複数設けられている。ここで、第１の所定の間隔ｄ１と第２の所定の間隔ｄ２は、ボルト挿入孔３ａがデッキプレート本体２の全面・四方にわたって略均等に配設され、任意・所望のボルト挿入孔３ａに吊りボルト１０１を取り付けることで、任意・所望の位置に空調ダクトなどを吊って配設できるように設定されている。例えば、第１の所定の間隔ｄ１は、ボルト挿入孔３ａがデッキプレート本体２の各山部２１の中央部に対向するように（２００〜３００ｍｍ程度に）設定され、第２の所定の間隔ｄ２は、３００ｍｍ程度に設定されている。このような所定の間隔ｄ１、ｄ２は、同寸法にしてもよいし異なる寸法にしてもよい。
【００３９】
ここで、この実施の形態では、２つのボルト挿入孔３ａが設けられた吊りプレート３が、２つデッキプレート本体２に設けられている場合について例示しているが、吊りプレート３により多くのボルト挿入孔３ａを設けたり、デッキプレート本体２により多くの吊りプレート３を設けたりしてもよい。また、吊りプレート３に３つ以上のボルト挿入孔３ａを設ける場合に、第１の所定の間隔ｄ１が異なっていてもよく、同様に３つ以上のプレート３を備える場合に、第２の所定の間隔ｄ２が異なっていてもよい。
【００４０】
このような構成のデッキプレート１は、例えば、床材や屋根材として使用する場合、図３に示すように、水平に延びるようにして隙間なく複数配置された状態で、上方に鉄筋が配設されてコンクリートが打設される。この状態では、複数のデッキプレート１で構成される床や屋根の全面にわたって、所定の間隔ｄ１、ｄ２で多数のボルト挿入孔３ａが配設され（散りばめられ）ている。そして、床や屋根（デッキプレート１）に空調ダクトなどを吊って配設する場合には、所望のボルト挿入孔３ａに吊りボルト１０１を取り付ける。すなわち、吊りボルト１０１の上端側をボルト挿入孔３ａに挿入し、吊りプレート３を挟むようにナット１０２を吊りボルト１０１に締め付ければよい。このようにして必要な数の吊りボルト１０１を必要な位置に取り付けて、空調ダクトなどを吊るものである。
【００４１】
以上のように、このデッキプレート１によれば、吊りプレート３にボルト挿入孔３ａが第１の所定の間隔ｄ１で複数設けられ、このような吊りプレート３が第２の所定の間隔ｄ２で複数デッキプレート本体２に設けられている。つまり、空調ダクトなどの配設位置に関わらず予め、縦横に所定の間隔ｄ１、ｄ２で複数・多数のボルト挿入孔３ａが、デッキプレート本体２の全面・四方にわたって設けられている。このため、任意・所望のボルト挿入孔３ａに吊りボルト１０１を取り付けることで、任意・所望の位置に容易に空調ダクトなどを配設することが可能となる。この結果、現場で後打ちアンカーを打設する必要がなくなり、作業者の負担を軽減して時間と労力、費用を削減することができるばかりでなく、安全性が向上するとともに、作業環境を改善することが可能となる。しかも、従来のデッキプレートと同様なデッキプレート本体２と、帯板状の吊りプレート３とを備えるだけであるため、簡易に低コストで構成することが可能となる。
【００４２】
また、デッキプレート本体２の谷部２２に設けられたプレート挿入孔２ａに、吊りプレート３が挿入されて配設されているだけであるため、より簡易に低コストで構成することが可能となる。従って、最終的に使用されない吊りプレート３が生じたとしても、無駄な費用を抑制することが可能となる。
【００４３】
さらに、ボルト取付部がボルト挿入孔３ａで構成されているだけであるため、より簡易に低コストで構成することが可能となる。従って、最終的に使用されないボルト挿入孔３ａが生じたとしても、無駄な費用を抑制することが可能となる。
【００４４】
また、略等脚台形の山部２１と谷部２２が連続的に形成されてデッキプレート本体２が構成されているため、剛性、強度が高く、厚いコンクリート打設に適する。そして、このようなデッキプレート本体２の谷部２２の底辺２２ａに沿って吊りプレート３が配設されているため、デッキプレート本体２の山部２１と吊りプレート３との間に広い空間が確保され、この空間を利用して吊りボルト１０１を容易、適正に取り付けたり、この空間に配線などを配設したりすることが可能となる。
【００４５】
（実施の形態２）
図４は、この実施の形態に係るデッキプレート１１を示す正面図（ａ）と底面図（ｂ）である。この実施の形態では、デッキプレート本体４が実施の形態１のデッキプレート本体２と異なり、実施の形態１と同等の構成については、同一符号を付することでその説明を省略する。
【００４６】
この実施の形態のデッキプレート本体４は、平坦な山部４１と、山部４１に対して略垂直に突出する谷部４２が連続的に形成されて構成されている。すなわち、平板が２つ折りされてＴ字状に形成されたＴ字部が、所定の間隔で複数形成されることで、平坦な山部（Ｔ字部の水平部）４１と谷部（Ｔ字部の垂直部）４２とが連続的に形成されている。また、谷部４２の先端側が略三角形に形成されて、三角部４２ａが設けられている。ここで、図中符号４２ｂは、平板が２つ折りされて形成された隙間部である。
【００４７】
このような山部４１と谷部４２が、この実施の形態では、２つずつ形成され、一端側（図中左端）から順に、谷部４２、山部４１、谷部４２、山部４１が形成されている。また、一端側の谷部４２に連接して、山部４１と面一の接続面部４１ａが形成されている。一方、他端側（図中右端）の山部４１の自由端部は、山部４１に対して略垂直に谷部４２側に曲げられて接続部４１ｂが形成されている。そして、接続面部４１ａに隣接する隙間部４２ｂに、別のデッキプレート本体４の接続部４１ｂを挿入することで、複数のデッキプレート本体４が接続・連結されるようになっている。
【００４８】
このようなデッキプレート本体４の谷部４２の底辺に沿って、吊りプレート３が配設されている。まず、各谷部４２の三角部４２ａに、図５に示すように、吊りプレート３を挿入するためのプレート挿入孔４ａが形成されている。すなわち、三角部４２ａの底辺の直上に、吊りプレート３をガタなく挿入可能な横長で長方形状のプレート挿入孔４ａが形成されている。このプレート挿入孔４ａは、谷部４２の谷筋（谷が伸びる筋）に沿って後述する第２の所定の間隔ｄ４で複数形成され、かつ、谷部４２の谷筋に直交する方向において、各谷部４２のプレート挿入孔４ａが重なるように形成されている。
【００４９】
そして、デッキプレート本体４の谷部４２の谷筋に直交する方向に向けて、吊りプレート３が各プレート挿入孔４ａに挿入されることで、吊りプレート３が谷部４２から谷部４２にわたり、かつ、谷部４２の底辺と谷部４２の底辺に沿って配設されている。また、吊りプレート３には、ボルト挿入孔３ａが長手方向に沿って第１の所定の間隔ｄ３で複数形成されている。この吊りプレート３の長さは、上記のようにして複数のデッキプレート本体４を接続した状態で、隣接するデッキプレート１１の吊りプレート３が隙間なく一直線上に配置されるように設定されている。
【００５０】
このような吊りプレート３が、デッキプレート本体４の谷部４２の谷筋に沿って第２の所定の間隔ｄ４で複数設けられている。ここで、第１の所定の間隔ｄ３と第２の所定の間隔ｄ４は、実施の形態１と同様に、任意・所望の位置に空調ダクトなどを吊って配設できるように設定されている。例えば、第１の所定の間隔ｄ３は、ボルト挿入孔３ａがデッキプレート本体４の各山部４１の中央部に対向するように（２００〜３００ｍｍ程度に）設定され、第２の所定の間隔ｄ４は、３００ｍｍ程度に設定されている。このような所定の間隔ｄ３、ｄ４は、同寸法にしてもよいし異なる寸法にしてもよい。
【００５１】
ここで、この実施の形態では、２つのボルト挿入孔３ａが設けられた吊りプレート３が、２つデッキプレート本体４に設けられている場合について例示しているが、吊りプレート３により多くのボルト挿入孔３ａを設けたり、デッキプレート本体４により多くの吊りプレート３を設けたりしてもよい。また、吊りプレート３に３つ以上のボルト挿入孔３ａを設ける場合に、第１の所定の間隔ｄ３が異なっていてもよく、同様に３つ以上のプレート３を備える場合に、第２の所定の間隔ｄ４が異なっていてもよい。
【００５２】
このような構成のデッキプレート１１は、例えば、床材や屋根材として使用する場合、図６に示すように、水平に延びるようにして隙間なく複数配置された状態で、上方に鉄筋が配設されてコンクリートが打設される。この状態では、複数のデッキプレート１１で構成される床や屋根の全面にわたって、所定の間隔ｄ３、ｄ４で多数のボルト挿入孔３ａが配設され（散りばめられ）ている。そして、床や屋根（デッキプレート１１）に空調ダクトなどを吊って配設する場合には、実施の形態１と同様に、所望のボルト挿入孔３ａに吊りボルト１０１を取り付け、この吊りボルト１０１を利用して空調ダクトなどを吊ればよい。
【００５３】
以上のように、この実施の形態によれば、平坦な山部４１と略垂直に突出する谷部４２が連続的に形成されてデッキプレート本体４が構成されているため、デッキプレート本体４の軽量化が可能となる。そして、このようなデッキプレート本体４の谷部４２の底辺に沿って吊りプレート３が配設されているため、デッキプレート本体４の山部（平坦部）４１と吊りプレート３との間に広い空間が確保され、この空間を利用して吊りボルト１０１を容易、適正に取り付けたり、この空間に配線などを配設したりすることが可能となる。
【００５４】
（実施の形態３）
図７は、この実施の形態に係るデッキプレート１２を示す正面図（ａ）と底面図（ｂ）である。この実施の形態では、吊りプレート３に代って吊り具５を備える点で実施の形態１と構成が異なり、実施の形態１と同等の構成については、同一符号を付することでその説明を省略する。
【００５５】
吊り具５は、鋼板・平板で形成された凹字状で、両端部がデッキプレート本体２に取り付けられるものである。すなわち、角Ｕ字状で、２つの側部５１と底辺部５２とを備え、底辺部５２に吊りボルト１０１を取り付けるためのボルト取付部であって吊りボルト１０１が挿入されるボルト挿入孔ａが形成されている。一方、デッキプレート本体２の山部２１の上辺には、図８に示すように、吊り具５の両側部５１が挿入される吊り具挿入孔２ｂが複数形成されている。そして、吊り具挿入孔２ｂに両側部５１の両端部（両自由端部）が挿入されて折り曲げられることで、吊り具５がデッキプレート本体２に取り付けられている。
【００５６】
このような吊り具５が、デッキプレート本体２の全面に所定の間隔で複数配設されている。すなわち、谷部２２の谷筋に直交する方向に沿った間隔である第１の所定の間隔ｄ５と、谷部２２の谷筋に沿った間隔である第２の所定の間隔ｄ６は、実施の形態１と同様に、任意・所望の位置に空調ダクトなどを吊って配設できるように設定されている。例えば、第１の所定の間隔ｄ５は、ボルト挿入孔５ａがデッキプレート本体２の各山部２１の中央部に対向するように（２００〜３００ｍｍ程度に）設定され、第２の所定の間隔ｄ６は、３００ｍｍ程度に設定されている。このような所定の間隔ｄ５、ｄ６は、同寸法にしてもよいし異なる寸法にしてもよい。
【００５７】
ここで、この実施の形態では、谷部２２の谷筋に直交する方向と、谷部２２の谷筋に沿った方向に、それぞれ２つの吊り具５が設けられている場合について例示しているが、より多くの吊り具５を設けてもよい。また、谷部２２の谷筋に直交する方向に３つ以上の吊り具５を設ける場合に、第１の所定の間隔ｄ５が異なっていてもよく、同様に谷部２２の谷筋に沿った方向に３つ以上の吊り具５を備える場合に、第２の所定の間隔ｄ６が異なっていてもよい。
【００５８】
このような構成のデッキプレート１２は、例えば、床材や屋根材として使用する場合、図９に示すように、水平に延びるようにして隙間なく複数配置された状態で、上方に鉄筋が配設されてコンクリートが打設される。この状態では、複数のデッキプレート１２で構成される床や屋根の全面にわたって、所定の間隔ｄ５、ｄ６で多数のボルト挿入孔５ａが配設され（散りばめられ）ている。そして、床や屋根（デッキプレート１２）に空調ダクトなどを吊って配設する場合には、実施の形態１と同様に、所望のボルト挿入孔５ａに吊りボルト１０１を取り付け、この吊りボルト１０１を利用して空調ダクトなどを吊ればよい。
【００５９】
以上のように、この実施の形態によれば、ボルト挿入孔５ａが設けられた吊り具５が、デッキプレート本体２の全面に所定の間隔ｄ５、ｄ６で複数配設されている。つまり、空調ダクトなどの配設位置に関わらず予め、所定の間隔ｄ５、ｄ６で複数のボルト挿入孔５ａがデッキプレート本体２の全面・四方にわたって設けられている。このため、任意・所望のボルト挿入孔５ａに吊りボルト１０１を取り付けることで、任意・所望の位置に容易に空調ダクトなどを配設することが可能となる。この結果、現場で後打ちアンカーを打設する必要がなくなり、作業者の負担を軽減して時間と労力、費用を削減することができるばかりでなく、安全性が向上するとともに、作業環境を改善することが可能となる。
【００６０】
しかも、従来のデッキプレートと同様なデッキプレート本体２と、凹字状の吊り具５とを備えるだけであるため、簡易に低コストで構成することが可能となる。さらに、凹字状の吊り具５の内側に配線などを配設したりすることが可能で、利便性が高い。
【００６１】
また、デッキプレート本体２の吊り具挿入孔２ｂに吊り具５の両側部（両端部）５１が挿入されることで、吊り具５がデッキプレート本体２に取り付けられている。つまり、溶接やボルト締めなどを要しないため、より簡易に低コストで構成することが可能となる。従って、最終的に使用されない吊り具５が生じたとしても、無駄な費用を抑制することが可能となる。
【００６２】
さらに、ボルト取付部がボルト挿入孔５ａで構成されているだけであるため、より簡易に低コストで構成することが可能となる。従って、最終的に使用されないボルト挿入孔５ａが生じたとしても、無駄な費用を抑制することが可能となる。
【００６３】
（実施の形態４）
図１０は、この実施の形態に係るデッキプレート１３を示す正面図（ａ）と底面図（ｂ）である。この実施の形態では、隣接するデッキプレート本体４の吊りプレート３同士を連結する連結具６を備える点で実施の形態２と構成が異なり、実施の形態２と同等の構成については、同一符号を付することでその説明を省略する。
【００６４】
連結具６は、略長方形で吊りプレート３と同等の幅の鋼板で、吊りプレート３の一端側に着脱自在に配設されている。すなわち、連結具６の長手方向に沿った長孔６ａが形成され、この長孔６ａよりも一端側（反吊りプレート３側）に連結ボルト挿入孔６ｂが形成されている。一方、吊りプレート３の一端部には第１のネジ孔３ｂが形成され、他端部には第２のネジ孔３ｃが形成されている。そして、連結ボルト６１を長孔６ａに挿入して第１のネジ孔３ｂに締め付けることで、連結具６が吊りプレート３に取り付けられている。また、隣接する吊りプレート３と連結しない場合などには、連結具６を吊りプレート３側に押し込むことで、連結具６が吊りプレート３から突出しないで配設される。
【００６５】
一方、図１１に示すように、連結具６を吊りプレート３から突出させて、他の連結ボルト６１を連結ボルト挿入孔６ｂに挿入して隣接する吊りプレート３の第２のネジ孔３ｃに締め付けることで、隣接する吊りプレート３同士が連結具６を介して連結される。ここで、この実施の形態では、吊りプレート３の両端部にネジ孔３ｂ、３ｃを設けているが、ネジ孔３ｂ、３ｃを連結ボルト挿入孔とし、連結ボルト６１にナットを締め付けてもよい。
【００６６】
以上のように、この実施の形態によれば、隣接するデッキプレート本体４の吊りプレート３の一端部と他端部が連結具６で連結されるため、複数の吊りプレート３が強固に安定して配設され、吊りボルト１０１ひいては空調ダクトなどを強固に安定して配設することが可能となる。また、複数の吊りプレート３が隙間なく一直線上に配設されるため、外観・美感が向上し、この結果、天井板などの配設を省略することが可能となり、大幅なコスト削減が可能となる。
【００６７】
しかも、吊りプレート３の一端側に連結具６が配設されているため、隣接する吊りプレート３と容易に連結することが可能となる。
【００６８】
（実施の形態５）
図１２、図１３は、この実施の形態を示し、図１２は、この実施の形態に係るデッキプレート１４を示す底面図（ａ）とそのＡ−Ａ断面図（ｂ）である。この実施の形態では、目隠しルーパー７１〜７３を備える点で実施の形態４と構成が異なり、実施の形態４と同等の構成については、同一符号を付することでその説明を省略する。
【００６９】
目隠しルーパー７１〜７３は、鋼板で構成された横長の平板状で、吊りプレート３と略平行に延びて吊りプレート３間に配設され、デッキプレート本体４が略水平に配置された状態で、目隠しルーパー７１〜７３の板面が略垂直に配置される。ここで、図１３（ａ）に示すように、デッキプレート本体４が３つの谷部４２を備える場合について具体的に説明する。
【００７０】
図１３（ｂ）に示す第１の目隠しルーパー７１は、横長の四角い帯板の中央部に、上辺から切り欠いた略四角い第１の装着部７１ａが形成され、両端部には、上角部を略矩形に切り欠いた第２の装着部７１ｂが形成さている。また、第１の装着部７１ａの両垂直辺には、内側に突出する係止片７１ｃが形成され、同様に、両第２の装着部７１ｂの垂直辺に係止片７１ｃが形成されている。そして、各谷部４２が装着部７１ａ、７１ｂに挿入され、各谷部４２の三角部４２ａの角部が係止片７１ｃに係止することで、第１の目隠しルーパー７１が複数の谷部４２にわたって取り付けられている。このような取付状態では、デッキプレート本体４が延びる面（山部４１の面）に第１の目隠しルーパー７１の板面が略直交し、デッキプレート本体４が略水平に配置された状態で、第１の目隠しルーパー７１の板面が略垂直に配置される。
【００７１】
図１３（ｃ）に示す第２の目隠しルーパー７２は、横長の四角い帯板の中央部に、上辺から切り欠いた略四角い第１の装着部７２ａが形成され、両端部には、上角部を鋭角なＬ字状に切り欠いた第２の装着部７２ｂが形成さている。そして、各谷部４２が装着部７２ａ、７２ｂに挿入され、両端の谷部４２の三角部４２ａの角部が第２の装着部７２ｂに嵌合することで、第２の目隠しルーパー７２が複数の谷部４２にわたって取り付けられている。このような取付状態では、デッキプレート本体４が延びる面（山部４１の面）に第２の目隠しルーパー７２の板面が略直交し、デッキプレート本体４が略水平に配置された状態で、第２の目隠しルーパー７２の板面が略垂直に配置される。
【００７２】
図１３（ｄ）に示す第３の目隠しルーパー７３は、横長の四角い帯板の中央部に、上辺から切り欠いた略四角い第１の装着部７３ａが形成され、両端部には、上角部を略矩形に切り欠いた第２の装着部７３ｂが形成さている。また、第１の装着部７３ａの両垂直辺側には、横Ｕ字状に切り込まれた折り曲げ部７３ｃが形成され、同様に、両第２の装着部７３ｂの垂直辺側に折り曲げ部７３ｃが形成されている。そして、各谷部４２が装着部７３ａ、７３ｂに挿入され、各折り曲げ部７３ｃが谷部４２の三角部４２ａ側に折り曲げられることで、第３の目隠しルーパー７３が複数の谷部４２にわたって取り付けられている。このような取付状態では、デッキプレート本体４が延びる面（山部４１の面）に第３の目隠しルーパー７３の板面が略直交し、デッキプレート本体４が略水平に配置された状態で、第３の目隠しルーパー７３の板面が略垂直に配置される。
【００７３】
このような目隠しルーパー７１〜７３の長さは、デッキプレート本体４の幅方向の一端から他端にわたって延びるように設定され、目隠しルーパー７１〜７３の幅・高さは、吊りプレート３が目隠しルーパー７１〜７３で見えにくくなるように設定されている。また、目隠しルーパー７１〜７３の配設位置や配設数は、吊りプレート３が見えにくく、外観・美感が向上するように設定されている。なお、この実施の形態では、３形状の目隠しルーパー７１〜７３を例示したが、デッキプレート本体４に配設できれば、これ以外の形状であってもよい。
【００７４】
以上のように、この実施の形態によれば、デッキプレート本体４が略水平に配置された状態で、吊りプレート３と略平行に延びる目隠しルーパー７１〜７３の板面が略垂直に配置される。このため、吊りプレート６が目隠しルーパー７１〜７３で見えにくくなり、外観・美感が向上し、この結果、天井板などの配設を省略することが可能となり、大幅なコスト削減が可能となる。
【００７５】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、ボルト取付部をボルト挿入孔３ａ、５ａで構成しているが、吊りボルト１０１が螺合されるネジ孔（雌ネジ）でボルト取付部を構成してもよい。また、実施の形態３では、デッキプレート本体２の山部２１に吊り具５が取り付けられているが、谷部２２の底辺２２ａに取り付けてもよい。さらに、ボルト挿入孔３ａ、５ａの配設位置や配設数、配設ピッチは、上記の例に限らない。
【符号の説明】
【００７６】
１、１１、１２、１３、１４  デッキプレート
２        デッキプレート本体
２ａ      プレート挿入孔
２ｂ      吊り具挿入孔
２１      山部
２２      谷部
２２ａ    底辺
２３      斜辺部
３        吊りプレート
３ａ      ボルト挿入孔（ボルト取付部）
４        デッキプレート本体
４ａ      プレート挿入孔
４１      山部
４２      谷部
５        吊り具
５ａ      ボルト挿入孔（ボルト取付部）
５１      両側部（両端部）
５２      底辺部
６        連結具
７１、７２、７３  目隠しルーパー
１０１    吊りボルト
１０２    ナット
ｄ１、ｄ３、ｄ５  第１の所定の間隔
ｄ２、ｄ４、ｄ６  第２の所定の間隔
【要約】
【課題】  任意の位置に空調ダクトなどを配設可能なデッキプレートを提供する。
【解決手段】  波形に形成された板状のデッキプレート本体２と、デッキプレート本体２を水平に配設した状態で、デッキプレート本体２の谷部２２から谷部２２にわたって配設される帯板状で、吊りボルトを取り付けるためのボルト挿入孔３ａが所定の間隔ｄ１で複数設けられた吊りプレート３と、を備え、吊りプレート３は、デッキプレート本体２の谷部２２に沿って所定の間隔ｄ２で複数設けられている。
【選択図】  図１【図１】
0006753033.tif 000002
【図２】
0006753033.tif 000003
【図３】
0006753033.tif 000004
【図４】
0006753033.tif 000005
【図５】
0006753033.tif 000006
【図６】
0006753033.tif 000007
【図７】
0006753033.tif 000008
【図８】
0006753033.tif 000009
【図９】
0006753033.tif 000010
【図１０】
0006753033.tif 000011
【図１１】
0006753033.tif 000012
【図１２】
0006753033.tif 000013
【図１３】
0006753033.tif 000014